(57)【要約】【課題】高信頼性、高速応答、低コストを可能とするV shiftの手法を実現できるようにする。【解決手段】オフセット追加部７１は、フレームメモリ１２−ＬＵ，１２−ＬＤ，１２−ＲＤ，１２−ＲＵのそれぞれの書き込みラインアドレスの初期値としてオフセット値を与え、その後、書き込みラインアドレスの値として、１つずつインクリメントしていった値を順次与え、有効ライン最後値となったときゼロに戻し、その後、再度オフセット値となるまで、１つずつインクリメントしていった値を順次与えていく。上下切替制御部７２は、書き込みラインアドレスの値がゼロまたはオフセット値となったときに、切替部６２−Ｌ，６２−Ｒのそれぞれの切り替えを制御する。本発明は、プロジェクタに適用可能である。【選択図】図８
2007304338.tif 000002
【特許請求の範囲】
【請求項１】
画像の表示を制御する画像処理装置において、
前記画像を上下に分割した上象限画像と下象限画像とのうちの、前記上象限画像に対応する上象限信号に基づいて駆動される上象限液晶パネルと、
前記下象限画像に対応する下象限信号に基づいて駆動される下象限液晶パネルと、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリと、
前記上象限メモリと前記下象限メモリとのそれぞれの前記書き込みラインアドレスの書き込みの初期値としてオフセット値をそれぞれ与えるオフセット追加手段と、
所定のタイミングで、前記上象限メモリと前記下象限メモリとに保持させるそれぞれの信号を、前記上象限信号と前記下象限信号とのうちの一方から他方へ切り替える制御を行う切替制御手段と
を備える画像処理装置。
【請求項２】
前記切替制御手段による前記所定のタイミングは、前記オフセット追加手段により前記オフセット値が与えられたタイミングを含む
請求項１に記載の画像処理装置。
【請求項３】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミングを含む
請求項１に記載の画像処理装置。
【請求項４】
前記上象限液晶パネルは、前記上象限画像を左右に２分割した左上象限画像と右上象限画像とのうちの、前記左上象限画像に対応する左上象限信号に基づいて駆動される左上象限液晶パネルと、前記右上象限画像に対応する右上象限信号に基づいて駆動される右上象限液晶パネルとに分割されており、
前記上象限メモリとして、前記左上象限液晶パネルに対応する前記左上象限メモリと、前記右上象限液晶パネルに対応する前記右上象限メモリとが設けられており、
前記下象限液晶パネルは、前記下象限画像を左右に２分割した左下象限画像と右下象限画像とのうちの、前記左下象限画像に対応する左下象限信号に基づいて駆動される左下象限液晶パネルと、前記右下象限画像に対応する右下象限信号に基づいて駆動される右下象限液晶パネルとに分割されており、
前記下象限メモリとして、前記左下象限液晶パネルに対応する前記左下象限メモリと、前記右下象限液晶パネルに対応する前記右下象限メモリとが設けられている
請求項１に記載の画像処理装置。
【請求項５】
画像を上下に分割した上象限画像と下象限画像とのうちの、前記上象限画像に対応する上象限信号に基づいて駆動される上象限液晶パネルと、
前記下象限画像に対応する下象限信号に基づいて駆動される下象限液晶パネルと、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリと
を備える画像処理装置の画像処理方法において、
前記上象限メモリと前記下象限メモリとのそれぞれの前記書き込みラインアドレスの書き込みの初期値としてオフセット値をそれぞれ与え、
所定のタイミングで、前記上象限メモリと前記下象限メモリとに保持させるそれぞれの信号を、前記上象限信号と前記下象限信号とのうちの一方から他方へ切り替える制御を行う
ステップを含む画像処理方法。
【請求項６】
画像を上下に分割した上象限画像と下象限画像とのうちの、前記上象限画像に対応する上象限信号に基づいて駆動される上象限液晶パネルと、
前記下象限画像に対応する下象限信号に基づいて駆動される下象限液晶パネルと、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリと
を備える画像処理装置を制御するコンピュータに実行させるプログラムであって、
前記上象限メモリと前記下象限メモリとのそれぞれの前記書き込みラインアドレスの書き込みの初期値としてオフセット値をそれぞれ与え、
所定のタイミングで、前記上象限メモリと前記下象限メモリとに保持させるそれぞれの信号を、前記上象限信号と前記下象限信号とのうちの一方から他方へ切り替える制御を行う
ステップを含むプログラム。
【請求項７】
画像を被画像形成対象に形成させる画像形成装置において、
前記画像を上下に分割した上象限画像と下象限画像とのうちの、前記上象限画像に対応する上象限信号に基づいて駆動される上象限液晶パネルと、
前記下象限画像に対応する下象限信号に基づいて駆動される下象限液晶パネルと、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記上象限液晶パネルに提供していく下象限メモリと、
前記上象限メモリと前記下象限メモリとのそれぞれの前記書き込みラインアドレスの書き込みの初期値としてオフセット値をそれぞれ与えるオフセット追加手段と、
所定のタイミングで、前記上象限メモリと前記下象限メモリとに保持させるそれぞれの信号を、前記上象限信号と前記下象限信号とのうちの一方から他方へ切り替える制御を行う切替制御手段と
を備え、
前記上象限液晶パネルにより前記上象限画像を前記被画像形成対象に形成させ、前記下象限液晶パネルにより前記下象限画像を前記被画像形成対象に形成させる
画像形成装置。
【請求項８】
前記切替制御手段による前記所定のタイミングは、前記オフセット追加手段により前記オフセット値が与えられたタイミングを含む
請求項７に記載の画像形成装置。
【請求項９】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミングを含む
請求項７に記載の画像形成装置。
【請求項１０】
前記上象限液晶パネルは、前記上象限画像を左右に２分割した左上象限画像と右上象限画像とのうちの、前記左上象限画像に対応する左上象限信号に基づいて駆動される左上象限液晶パネルと、前記右上象限画像に対応する右上象限信号に基づいて駆動される右上象限液晶パネルとに分割されており、
前記上象限メモリとして、前記左上象限液晶パネルに対応する前記左上象限メモリと、前記右上象限液晶パネルに対応する前記右上象限メモリとが設けられており、
前記下象限液晶パネルは、前記下象限画像を左右に２分割した左下象限画像と右下象限画像とのうちの、前記左下象限画像に対応する左下象限信号に基づいて駆動される左下象限液晶パネルと、前記右下象限画像に対応する右下象限信号に基づいて駆動される右下象限液晶パネルとに分割されており、
前記下象限メモリとして、前記左下象限液晶パネルに対応する前記左下象限メモリと、前記右下象限液晶パネルに対応する前記右下象限メモリとが設けられており、
前記左上象限液晶パネルにより前記左上象限画像を前記被画像形成対象に形成させ、前記右上象限液晶パネルにより前記右上象限画像を前記被画像形成対象に形成させ、前記左下象限液晶パネルにより前記左下象限画像を前記被画像形成対象に形成させ、前記右下象限液晶パネルにより前記右下象限画像を前記被画像形成対象に形成させる
請求項７に記載の画像形成装置。
【請求項１１】
前記画像形成装置は、前記被画像形成対象としてスクリーンを採用したプロジェクタである
請求項７に記載の画像形成装置。
【請求項１２】
画像を上下に分割した上象限画像と下象限画像とのうちの、前記上象限画像に対応する上象限信号に基づいて駆動される上象限液晶パネルと、
前記下象限画像に対応する下象限信号に基づいて駆動される下象限液晶パネルと、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記上象限液晶パネルに提供していく下象限メモリと
を備え、
前記上象限液晶パネルにより前記上象限画像を前記被画像形成対象に形成させ、前記下象限液晶パネルにより前記下象限画像を前記被画像形成対象に形成させる画像形成装置の画像形成方法において、
前記上象限メモリと前記下象限メモリとのそれぞれの前記書き込みラインアドレスの書き込みの初期値としてオフセット値をそれぞれ与え、
所定のタイミングで、前記上象限メモリと前記下象限メモリとに保持させるそれぞれの信号を、前記上象限信号と前記下象限信号とのうちの一方から他方へ切り替える制御を行う
ステップを含む画像形成方法。
【発明の詳細な説明】
【技術分野】
【０００１】
本発明は、画像処理装置および方法、画像形成装置および方法、並びにプログラムに関し、特に、デジタルシネマ等で利用可能なV shiftの手法であって、高信頼性、高速応答、低コストを可能とするV shiftの手法を実現できるようになった、画像処理装置および方法、画像形成装置および方法、並びにプログラムに関する。
【背景技術】
【０００２】
近年、液晶パネルの高解像度化が進み、画素数にして２０４８×１０８０程度の解像度を有する映像信号（即ち、いわゆるHigh-Definition信号であるが、ここでは以下、2K信号と称する）に対応可能なものが普及してきている。さらに、デジタルシネマ等の分野で利用するために、画素数にして４０９６×２１６０程度の解像度を有する映像信号、即ち2K信号に対して約４倍の解像度を有する映像信号（以下、4K信号と称する）に対応可能な液晶パネル（以下、4K液晶パネルと称する）も登場してきている。
【０００３】
そこで、本発明人らは、デジタルシネマ用プロジェクタとして、4K液晶パネルを搭載したプロジェクタの開発をこれまで行ってきた。
【０００４】
このデジタルシネマ用プロジェクタの投射対象のコンテンツ、即ち、映画のコンテンツは、図１に示されるような「Cine-scope」,「Vista」といったアスペクトが異なる種類に大別される。従って、デジタルシネマ用プロジェクタは、映画館のスクリーンの高さ方向を一定にさせながら、即ち、縦幅をあわせながら、これらの２種類のコンテンツをそれぞれ投射する必要がある。
【０００５】
具体的には、4K信号のコンテンツの表示解像度は、「cine-scope」では図２の薄灰色領域で示されるように4096*1714であり、一方、「Vista」では図２の薄灰色領域で示されるように3996*2160であり、両者の高さ方向の解像度は異なっている。そこで、デジタルシネマ用プロジェクタは、光学的ズームを行うことで、「Cine-scope」,「Vista」の両種類のコンテンツのスクリーン上での縦幅をあわせるようにしている。
【０００６】
ただし、図４の左方に示されるように、一般的に映画館の投射系は打ち下ろしがほとんどである。即ち、図４は、かかる投射系として、デジタルシネマ用プロジェクタ１を採用した場合の例を示している。デジタルシネマ用プロジェクタ１は天井に固定されており、それ故、そのレンズ中心は、図４からも明らかなように、スクリーン２の中心よりも上方向にずれている。従って、高さ方向のシフト（以下、高さ方向をV方向と称し、V方向のシフトをV shiftと記述する）がなされないまま、デジタルシネマ用プロジェクタ１が、光学的ズームを行って「Cine-scope」,「Vista」の両種類のコンテンツのスクリーン上での縦幅をあわせようとすると、図４の右方に示されるように、両種類のコンテンツのスクリーン２上での高さ方向の中心位置がずれてしまうことになる。
【０００７】
換言すると、デジタルシネマ用プロジェクタ１が、光学的ズームを行うことで、「Cine-scope」,「Vista」の両種類のコンテンツのスクリーン上での縦幅をあわせることができるが、この場合、両種類のコンテンツのスクリーン２上での高さ方向の中心位置がずれる。そこで、このずれを解消するために、即ち、両種類のコンテンツのスクリーン２上での高さ方向の中心位置をあわせるために、V shiftが必要となる。
【０００８】
このようなV shiftの手法としては、例えば特許文献１に示されるように、光学的レンズシフトを動かすといった手法が従来利用されている。
【特許文献１】特開平05-260423号公報
【発明の開示】
【発明が解決しようとする課題】
【０００９】
しかしながら、このような従来のV shiftの手法では、応答が遅い、メカ的信頼性が低い、コストが高いなどの種々の問題があった。このため、デジタルシネマ等で利用可能なV shiftの手法として、高信頼性、高速応答、低コストが実現可能なV shiftの手法の実現が求められているが、そのような手法として適切な手法が見受けられない状況である。
【００１０】
本発明は、このような状況に鑑みてなされたものであり、デジタルシネマ等で利用可能なV shiftの手法であって、高信頼性、高速応答、低コストを可能とするV shiftの手法を実現できるようにするものである。
【課題を解決するための手段】
【００１１】
本発明の一側面の画像処理装置は、画像の表示を制御する画像処理装置であって、前記画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリと、前記上象限メモリと前記下象限メモリとのそれぞれの前記書き込みラインアドレスの書き込みの初期値としてオフセット値をそれぞれ与えるオフセット追加手段と、所定のタイミングで、前記上象限メモリと前記下象限メモリとに保持させるそれぞれの信号を、前記上象限信号と前記下象限信号とのうちの一方から他方へ切り替える制御を行う切替制御手段とを備える。
【００１２】
前記切替制御手段による前記所定のタイミングは、前記オフセット追加手段により前記オフセット値が与えられたタイミングを含む。
【００１３】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミングを含む。
【００１４】
前記上象限液晶パネルは、前記上象限画像を左右に２分割した左上象限画像と右上象限画像とのうちの、前記左上象限画像に対応する左上象限信号に基づいて駆動される左上象限液晶パネルと、前記右上象限画像に対応する右上象限信号に基づいて駆動される右上象限液晶パネルとに分割されており、前記上象限メモリとして、前記左上象限液晶パネルに対応する前記左上象限メモリと、前記右上象限液晶パネルに対応する前記右上象限メモリとが設けられており、前記下象限液晶パネルは、前記下象限画像を左右に２分割した左下象限画像と右下象限画像とのうちの、前記左下象限画像に対応する左下象限信号に基づいて駆動される左下象限液晶パネルと、前記右下象限画像に対応する右下象限信号に基づいて駆動される右下象限液晶パネルとに分割されており、前記下象限メモリとして、前記左下象限液晶パネルに対応する前記左下象限メモリと、前記右下象限液晶パネルに対応する前記右下象限メモリとが設けられている。
【００１５】
本発明の一側面の画像処理方法は、画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリとを備える画像処理装置の画像処理方法であって、前記上象限メモリと前記下象限メモリとのそれぞれの前記書き込みラインアドレスの書き込みの初期値としてオフセット値をそれぞれ与え、所定のタイミングで、前記上象限メモリと前記下象限メモリとに保持させるそれぞれの信号を、前記上象限信号と前記下象限信号とのうちの一方から他方へ切り替える制御を行うステップを含む。
【００１６】
本発明の一側面のプログラムは、画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリとを備える画像処理装置を制御するコンピュータに実行させるプログラムであって、前記上象限メモリと前記下象限メモリとのそれぞれの前記書き込みラインアドレスの書き込みの初期値としてオフセット値をそれぞれ与え、所定のタイミングで、前記上象限メモリと前記下象限メモリとに保持させるそれぞれの信号を、前記上象限信号と前記下象限信号とのうちの一方から他方へ切り替える制御を行うステップを含む。
【００１７】
本発明の一側面の画像処理装置およびその方法並びにプログラムにおいては、画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリとを備える画像処理装置に対して、次のような処理が実行される。即ち、前記上象限メモリと前記下象限メモリとのそれぞれの前記書き込みラインアドレスの書き込みの初期値としてオフセット値がそれぞれ与えられ、所定のタイミングで、前記上象限メモリと前記下象限メモリとに保持させるそれぞれの信号が、前記上象限信号と前記下象限信号とのうちの一方から他方へ切り替えられる。
【００１８】
本発明の一側面の画像形成装置は、画像を被画像形成対象に形成させる画像形成装置であって、前記画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記上象限液晶パネルに提供していく下象限メモリと、前記上象限メモリと前記下象限メモリとのそれぞれの前記書き込みラインアドレスの書き込みの初期値としてオフセット値をそれぞれ与えるオフセット追加手段と、所定のタイミングで、前記上象限メモリと前記下象限メモリとに保持させるそれぞれの信号を、前記上象限信号と前記下象限信号とのうちの一方から他方へ切り替える制御を行う切替制御手段とを備え、前記上象限液晶パネルにより前記上象限画像を前記被画像形成対象に形成させ、前記下象限液晶パネルにより前記下象限画像を前記被画像形成対象に形成させる。
【００１９】
前記切替制御手段による前記所定のタイミングは、前記オフセット追加手段により前記オフセット値が与えられたタイミングを含む。
【００２０】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミングを含む。
【００２１】
前記上象限液晶パネルは、前記上象限画像を左右に２分割した左上象限画像と右上象限画像とのうちの、前記左上象限画像に対応する左上象限信号に基づいて駆動される左上象限液晶パネルと、前記右上象限画像に対応する右上象限信号に基づいて駆動される右上象限液晶パネルとに分割されており、前記上象限メモリとして、前記左上象限液晶パネルに対応する前記左上象限メモリと、前記右上象限液晶パネルに対応する前記右上象限メモリとが設けられており、前記下象限液晶パネルは、前記下象限画像を左右に２分割した左下象限画像と右下象限画像とのうちの、前記左下象限画像に対応する左下象限信号に基づいて駆動される左下象限液晶パネルと、前記右下象限画像に対応する右下象限信号に基づいて駆動される右下象限液晶パネルとに分割されており、前記下象限メモリとして、前記左下象限液晶パネルに対応する前記左下象限メモリと、前記右下象限液晶パネルに対応する前記右下象限メモリとが設けられており、前記左上象限液晶パネルにより前記左上象限画像を前記被画像形成対象に形成させ、前記右上象限液晶パネルにより前記右上象限画像を前記被画像形成対象に形成させ、前記左下象限液晶パネルにより前記左下象限画像を前記被画像形成対象に形成させ、前記右下象限液晶パネルにより前記右下象限画像を前記被画像形成対象に形成させる。
【００２２】
前記画像形成装置は、前記被画像形成対象としてスクリーンを採用したプロジェクタである。
【００２３】
本発明の一側面の画像形成方法は、画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記上象限液晶パネルに提供していく下象限メモリとを備え、前記上象限液晶パネルにより前記上象限画像を前記被画像形成対象に形成させ、前記下象限液晶パネルにより前記下象限画像を前記被画像形成対象に形成させる画像形成装置の画像形成方法において、前記上象限メモリと前記下象限メモリとのそれぞれの前記書き込みラインアドレスの書き込みの初期値としてオフセット値をそれぞれ与え、所定のタイミングで、前記上象限メモリと前記下象限メモリとに保持させるそれぞれの信号を、前記上象限信号と前記下象限信号とのうちの一方から他方へ切り替える制御を行う。
【００２４】
本発明の一側面の画像形成装置および方法においては、画像を上下に分割した上象限画像と下象限画像とのうちの、前記上象限画像に対応する上象限信号に基づいて駆動される上象限液晶パネルと、前記下象限画像に対応する下象限信号に基づいて駆動される下象限液晶パネルと、前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリと、前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記上象限液晶パネルに提供していく下象限メモリとを備える画像形成装置において、次のような制御がなされて、前記上象限液晶パネルにより前記上象限画像を前記被画像形成対象に形成され、前記下象限液晶パネルにより前記下象限画像を前記被画像形成対象に形成される。即ち、その制御とは、前記上象限メモリと前記下象限メモリとのそれぞれの前記書き込みラインアドレスの書き込みの初期値としてオフセット値をそれぞれ与え、所定のタイミングで、前記上象限メモリと前記下象限メモリとに保持させるそれぞれの信号を、前記上象限信号と前記下象限信号とのうちの一方から他方へ切り替える制御である。
【発明の効果】
【００２５】
以上のごとく、本発明によれば、デジタルシネマ等で利用可能なV shiftの手法が実現可能になる。特に、高信頼性、高速応答、低コストを可能とするV shiftの手法が実現可能になる。
【発明を実施するための最良の形態】
【００２６】
以下に本発明の実施の形態を説明するが、請求項に記載の構成要件と、明細書または図面における具体例との対応関係を例示すると、次のようになる。この記載は、請求項に記載されている発明をサポートする具体例が、明細書または図面に記載されていることを確認するためのものである。従って、明細書または図面中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２７】
さらに、この記載は、明細書または図面に記載されている具体例に対応する発明が、請求項に全て記載されていることを意味するものではない。換言すれば、この記載は、明細書または図面に記載されている具体例に対応する発明であって、この出願の請求項には記載されていない発明の存在、すなわち、将来、分割出願されたり、補正により追加される発明の存在を否定するものではない。
【００２８】
本発明の一側面の画像処理装置（例えば図８の4Kパネル装置５１）は、
画像の表示を制御する画像処理装置において、
前記画像を上下に分割した上象限画像と下象限画像とのうちの、前記上象限画像に対応する上象限信号に基づいて駆動される上象限液晶パネル（例えば図８の左上象限パネル１１−ＬＵや右上象限パネル１１−ＲＵ）と、
前記下象限画像に対応する下象限信号に基づいて駆動される下象限液晶パネル（例えば図８の左下象限パネル１１−ＬＤや右下象限パネル１１−ＲＤ）と、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリ（例えば図８のフレームメモリ１２−ＬＵや１２−ＲＵ）と、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリ（例えば図８のフレームメモリ１２−ＬＤや１２−ＲＤ）と、
前記上象限メモリと前記下象限メモリとのそれぞれの前記書き込みラインアドレスの書き込みの初期値としてオフセット値をそれぞれ与えるオフセット追加手段（例えば図８のオフセット追加部７１）と、
所定のタイミングで、前記上象限メモリと前記下象限メモリとに保持させるそれぞれの信号を、前記上象限信号と前記下象限信号とのうちの一方から他方へ切り替える制御を行う切替制御手段（例えば図８の上下切替制御部７２）と
を備える。
【００２９】
前記切替制御手段による前記所定のタイミングは、前記オフセット追加手段により前記オフセット値が与えられたタイミング（例えば、図１２の２つの切替制御信号SCのうちの右方のタイミング）を含む。
【００３０】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミング（例えば、図１２の２つの切替制御信号SCのうちの左方のタイミング）を含む。
【００３１】
前記上象限液晶パネルは、前記上象限画像を左右に２分割した左上象限画像と右上象限画像とのうちの、前記左上象限画像に対応する左上象限信号に基づいて駆動される左上象限液晶パネル（例えば図８の左上象限パネル１１−ＬＵ）と、前記右上象限画像に対応する右上象限信号に基づいて駆動される右上象限液晶パネル（例えば図８の右上象限パネル１１−ＲＵ）とに分割されており、
前記上象限メモリとして、前記左上象限液晶パネルに対応する前記左上象限メモリ（例えば図８のフレームメモリ１２−ＬＵ）と、前記右上象限液晶パネルに対応する前記右上象限メモリ（例えば図８のフレームメモリ１２−ＲＵ）とが設けられており、
前記下象限液晶パネルは、前記下象限画像を左右に２分割した左下象限画像と右下象限画像とのうちの、前記左下象限画像に対応する左下象限信号に基づいて駆動される左下象限液晶パネル（例えば図８の左下象限パネル１１−ＬＤ）と、前記右下象限画像に対応する右下象限信号に基づいて駆動される右下象限液晶パネル（例えば図８の右下象限パネル１１−ＲＤ）とに分割されており、
前記下象限メモリとして、前記左下象限液晶パネルに対応する前記左下象限メモリ（例えば図８のフレームメモリ１２−ＬＤ）と、前記右下象限液晶パネルに対応する前記右下象限メモリ（例えば図８のフレームメモリ１２−ＲＤ）とが設けられている。
【００３２】
本発明の一側面の画像処理方法およびプログラムは、上述した本発明の一側面の画像処理装置に対応する方法とプログラムのそれぞれであって、例えば図８乃至図１３で説明される処理を実現させる。プログラムは、例えば後述する図１４のコンピュータにより実行される。
【００３３】
本発明の一側面の画像形成装置（例えば図４のデジタルシネマ用プロジェクタ１）は、
画像を被画像形成対象（例えば図４のスクリーン２）に形成させる画像形成装置において、
前記画像を上下に分割した上象限画像と下象限画像とのうちの、前記上象限画像に対応する上象限信号に基づいて駆動される上象限液晶パネル（例えば図８の左上象限パネル１１−ＬＵや右上象限パネル１１−ＲＵ）と、
前記下象限画像に対応する下象限信号に基づいて駆動される下象限液晶パネル（例えば図８の左下象限パネル１１−ＬＤや右下象限パネル１１−ＲＤ）と、
前記上象限信号を保持し、前記上象限液晶パネルを構成する複数の水平ラインのうちの書き込み対象の水平ラインを示す値が保持される書き込みラインアドレスを有し、そのラインアドレスの値に従って前記上象限信号の対応する信号を順次前記上象限液晶パネルに提供していく上象限メモリ（例えば図８のフレームメモリ１２−ＬＵや１２−ＲＵ）と、
前記下象限信号を保持し、前記下象限液晶パネルを構成する複数の水平ラインのうちの書き込み対象の水平ラインを示す値が保持される書き込みラインアドレスを有し、そのラインアドレスの値に従って前記下象限信号の対応する信号を順次前記下象限液晶パネルに提供していく下象限メモリ（例えば図８のフレームメモリ１２−ＬＤや１２−ＲＤ）と、
前記上象限メモリと前記下象限メモリとのそれぞれの前記書き込みラインアドレスの書き込みの初期値としてオフセット値をそれぞれ与えるオフセット追加手段（例えば図８のオフセット追加部７１）と、
所定のタイミングで、前記上象限メモリと前記下象限メモリとに保持させるそれぞれの信号を、前記上象限信号と前記下象限信号とのうちの一方から他方へ切り替える制御を行う切替制御手段（例えば図８の上下切替制御部７２）と
を備え、
前記上象限液晶パネルにより前記上象限画像を前記被画像形成対象に形成させ、前記下象限液晶パネルにより前記下象限画像を前記被画像形成対象に形成させる。
【００３４】
前記切替制御手段による前記所定のタイミングは、前記オフセット追加手段により前記オフセット値が与えられたタイミング（例えば、図１２の２つの切替制御信号SCのうちの右方のタイミング）を含む。
【００３５】
前記切替制御手段による前記所定のタイミングは、前記上象限メモリと前記下象限メモリとのそれぞれの前記書き込みラインアドレスの値が、前記上象限画像または前記下象限画像の有効ラインの最後の値からゼロに更新されたタイミング（例えば、図１２の２つの切替制御信号SCのうちの左方のタイミング）を含む。
【００３６】
前記上象限液晶パネルは、前記上象限画像を左右に２分割した左上象限画像と右上象限画像とのうちの、前記左上象限画像に対応する左上象限信号に基づいて駆動される左上象限液晶パネル（例えば図８の左上象限パネル１１−ＬＵ）と、前記右上象限画像に対応する右上象限信号に基づいて駆動される右上象限液晶パネル（例えば図８の右上象限パネル１１−ＲＵ）とに分割されており、
前記上象限メモリとして、前記左上象限液晶パネルに対応する前記左上象限メモリ（例えば図８のフレームメモリ１２−ＬＵ）と、前記右上象限液晶パネルに対応する前記右上象限メモリ（例えば図８のフレームメモリ１２−ＲＵ）とが設けられており、
前記下象限液晶パネルは、前記下象限画像を左右に２分割した左下象限画像と右下象限画像とのうちの、前記左下象限画像に対応する左下象限信号に基づいて駆動される左下象限液晶パネル（例えば図８の左下象限パネル１１−ＬＤ）と、前記右下象限画像に対応する右下象限信号に基づいて駆動される右下象限液晶パネル（例えば図８の右下象限パネル１１−ＲＤ）とに分割されており、
前記下象限メモリとして、前記左下象限液晶パネルに対応する前記左下象限メモリ（例えば図８のフレームメモリ１２−ＬＤ）と、前記右下象限液晶パネルに対応する前記右下象限メモリ（例えば図８のフレームメモリ１２−ＲＤ）とが設けられている。
【００３７】
はじめに、図５と図６を参照して、本発明が適用されるV shiftの手法の概略について説明する。
【００３８】
即ち、本発明が適用されるV shiftの手法とは、例えば上述した図４のデジタルシネマ用プロジェクタ１が「Cine-scope」のコンテンツをスクリーン２上に表示させる場合には、図５に示されるように、信号処理によって、その液晶パネル上の表示位置をV方向にずらす、といった手法である。具体的には、「Cine-scope」,「Vista」の両種類のコンテンツのスクリーン上での縦幅をあわせることが目的とされる場合には、「Cine-scope」のコンテンツのスクリーン２上での表示中心位置が、「Vista」のコンテンツのスクリーン２上でのコンテンツの表示の中心位置と一致するように、デジタルシネマ用プロジェクタ１が、信号処理によって、「Cine-scope」のコンテンツの液晶パネル上の表示位置をV方向にずらす、といった手法が、本発明が適用されるV shiftの手法である。なお、デジタルシネマ用プロジェクタ１が「Vista」のコンテンツをスクリーン上に表示させる場合には、図６に示されるように、V shiftの動作は不要である。このような本発明が適用されるV shiftの手法を、以下、図５の記載にあわせて、電気V shift手法と称する。
【００３９】
ただし、このような電気V shift手法をデジタルシネマ用プロジェクタ１に対して適用する場合、少なくとも１以上の上下分割駆動されている液晶パネルがデジタルシネマ用プロジェクタ１に搭載されているときには、次のような考慮が必要である。
【００４０】
即ち、例えばデジタルシネマ用プロジェクタ１が4K液晶パネルを搭載している場合には、その4K液晶パネルは、図７に示される液晶パネル１１のように、２０４８×１０８０個の画素からなる各象限の液晶パネルに４分割されていることが一般的である。
【００４１】
なお、以下、かかる液晶パネル１１を、４分割パネル１１と称する。また、４分割パネル１１の各象限の液晶パネルのうちの、左上象限の液晶パネル１１−ＬＵを左上象限パネル１１−ＬＵと、右上象限の液晶パネル１１−ＲＵを右上象限パネル１１−ＲＵと、右下象限の液晶パネル１１−ＲＤを右下象限パネル１１−ＲＤと、左下象限の液晶パネル１１−ＬＤを左下象限パネル１１−ＬＤと、それぞれ称する。
【００４２】
この場合、4Kパネル１１全体に１枚の画像が表示されることになるので、基本的には、その１枚の画像が上下左右に４分割された各象限の画像、即ち、左上象限画像、右上象限画像、右下象限画像、および、左下象限画像のそれぞれが、左上象限パネル１１−ＬＵ、右上象限パネル１１−ＲＵ、右下象限パネル１１−ＲＤ、および左下象限パネル１１−ＬＤのそれぞれに独立して表示されることになる。なお、基本的にはと記述したのは、後述するようにV shiftの場合は若干異なるからである。
【００４３】
従って、４つの各象限画像のそれぞれに対して、独立したフレーム信号またはフィールド信号が用いられる。即ち、図７に示されるように、左上象限画像に対応するフレーム信号またはフィールド信号SLU（以下、左上象限信号SLUと称する）、右上象限画像に対応するフレーム信号またはフィールド信号SRU（以下、右上象限信号SRUと称する）、右下象限画像に対応するフレーム信号またはフィールド信号SRD（以下、右下象限信号SRDと称する）、および、左下象限画像に対応するフレーム信号またはフィールド信号SLD（以下、左下象限信号SLDと称する）が、それぞれ独立した信号として用いられる。
【００４４】
そして、左上象限信号SLUがフレームメモリ１２−ＬＵに与えられ、その左上信号SLUを構成する２０４８×１０８０個分の各画素信号がフレームメモリ１２−ＬＵから左上象限パネル１１−ＬＵに所定の順番で順次与えられていき、その結果、左上象限パネル１１−ＬＵを構成する２０４８×１０８０個分の各画素がその所定の順番でひとつずつ書き込まれていく。ここに、１つの画素とは、例えば１つの液晶および保持キャパシタを指し、１つ画素の書き込むとは、対応するスイッチング素子がその画素に対して電圧を印加することを指す。即ち、左上象限パネル１１−ＬＵは、左上象限信号SLUにより駆動される。
【００４５】
この場合、各画素の書き込みは水平ラインを単位として順次行われていくので、書き込みの所定の順番とは水平ラインの番号順を意味する。例えば本実施の形態では、左上象限パネル１１−ＬＵについては、上から下に向かう方向で水平ラインの番号が順次付されており、各水平ラインのそれぞれがその番号順に順次書き込まれていく。このとき、書き込み対象の水平ラインの番号を示す値が、フレームメモリ１２−ＬＵ内の所定のアドレス（以下、書き込みラインアドレスと称する）に格納されており、かかる書き込みラインアドレスの値に対応する番号の水平ラインが、左上象限パネル１１−ＬＵにおいて書き込まれることになる。
【００４６】
以上の書き込みは、他の象限のパネル、即ち、右上象限パネル１１−ＲＵ、右下象限パネル１１−ＲＤ、および左下象限パネル１１−ＬＤのそれぞれに対しても同様に行われる。
【００４７】
従って、4Kパネル１１を搭載したデジタルシネマ用プロジェクタ１（図４）に対して電気V shift手法を適用するためには、各フレームメモリ１２−ＬＵ，１２−ＲＵ，１２−ＲＤ，１２−ＬＤのそれぞれの書き込みラインアドレスに対してオフセットをそれぞれ付加する機能（以下、オフセット機能と称する）を設けるようにすればよい。
【００４８】
かかるオフセット機能が実現されると、左上象限パネル１１−ＬＵ、右上象限パネル１１−ＲＵ、右下象限パネル１１−ＲＤ、および左下象限パネル１１−ＬＤのそれぞれにおいて、書き込みラインアドレスの値がオフセット量に対応する値（以下、オフセット値と称する）となっている状態から書き込みが開始されることになる。即ち、オフセット値に対応する番号の水平ラインから書き込みが開始されることになる。その後、書き込みラインアドレスの値が１つずつインクリメントされていき、インクリメントされる度に、書き込みラインアドレスの値に対応する番号の水平ラインが順次書き込まれていく。そして、書き込みラインアドレスが表示垂直画素の個数分だけ順次インクリメントされると、即ち、書き込みラインアドレスの値が有効ラインの最後の番号に対応する値（以下、有効ライン最後値と称する）になると、書き込みラインアドレスの値は０に戻され、オフセット値に向かって再度インクリメントされていき、インクリメントされる度に、書き込みラインアドレスの値に対応する番号の水平ラインが順次書き込まれていく。
【００４９】
即ち、左上象限パネル１１−ＬＵ、右上象限パネル１１−ＲＵ、右下象限パネル１１−ＲＤ、および左下象限パネル１１−ＬＤのそれぞれの１フィールドまたは１フィールド分の書き込みとして、最初に、オフセット値乃至有効ライン最後値のそれぞれに対応する番号の各水平ラインが順次書き込まれ、その後、０乃至オフセット値−１のそれぞれに対応する番号の各水平ラインが順次書き込まれていく。
【００５０】
その結果、図示はしないが、図５に示されるように画像全体ではV shiftが行われず、各象限のパネル毎に、各象限画像毎にばらばらにV shiftが行われてしまい、4Kパネル１１全体の表示としては、きちんとした画像が表示されなくなってしまう。即ち、4Kパネル１１が各象限に４分割されている場合には、フィールドまたはフレーム信号は各象限に対して独立して与えられるために、ただ単にオフセット機能を設けただけでは、「Cine-scope」においては、きちんとした画像が表示されないのである。
【００５１】
換言すると、「Cine-scope」において、4Kパネル１１全体に表示される１枚の画像全体をきちんとV shiftするためには、オフセット機能に加えてさらに次のような機能が必要となる。即ち、必要となる機能とは、書き込みラインアドレスがオフセット値になったタイミングで、上下象限のフィールド信号またはフレーム信号を入れ替え、その後、書き込みラインアドレスが０になったタイミングで、上下象限のフィールド信号またはフレーム信号を入れ替える、といった機能である。なお、以下、かかる機能をスイッチ機能と称する。
【００５２】
具体的には、例えば上シフトを行うべくスイッチ機能が実現されると、次のような処理が行われる。
【００５３】
即ち、左上象限パネル１１−ＬＵと左下象限パネル１１−ＬＤとのそれぞれにおいて、書き込みラインアドレスの値がオフセット値乃至有効ライン最後値になるまでの第１の期間では、左上象限のフレームメモリ１２−ＬＵに対しては下象限信号SLDを与え、一方、左下象限のフレームメモリ１２−ＬＤに対しては上象限信号SLUを与える処理が実行される。
【００５４】
上述したように、書き込みラインアドレスが有効ライン最後値になると、書き込みラインアドレスがゼロに戻るので、そのタイミングで、左上象限のフレームメモリ１２−ＬＵに対して与える信号が、下象限信号SLDから上象限信号SLUに切り替えられ、一方、左下象限のフレームメモリ１２−ＬＤに対して与える信号が、上象限信号SLUから下象限信号SLDに切り替えられる。
【００５５】
その後、オフセット値に向かって再度インクリメントされていくまでの第２の期間、即ち、書き込みラインアドレスの値が０乃至オフセット値−１になるまでの第２の期間では、左上象限のフレームメモリ１２−ＬＵに対しては上象限信号SLUを与え、一方、左下象限のフレームメモリ１２−ＬＤに対しては下象限信号SLDを与える処理が実行される。
【００５６】
そして、書き込みラインアドレスがオフセット値になると、再度、左上象限のフレームメモリ１２−ＬＵに対して与える信号が、上象限信号SLUから下象限信号SLDに切り替えられ、一方、左下象限のフレームメモリ１２−ＬＤに対して与える信号が、下象限信号SLDから上象限信号SLUに切り替えられる。
【００５７】
その後、上述した一連の処理が繰り返されることになる。
【００５８】
以上の一連の処理と同様の処理が、右上象限パネル１１−ＲＵと右下象限パネル１１−ＲＤとのそれぞれについても同様に繰り返し実行されることになる。
【００５９】
以上上シフトがなされる場合のスイッチ機能の処理について説明したが、下シフトがなされる場合にも基本的に同様の処理がなされる。ただし、第１の期間と第２の期間とにおいて、フレームメモリ１２−ＬＵ，１２−ＬＤのそれぞれに与える信号が、上述した上シフトの場合と逆になる等の違いが若干ある。なお、このような違いについては、図１５と図１６とを用いて後述することにする。
【００６０】
以下、図１５と図１６との説明を行うまでの間は、断りのない限り、上シフトがなされる例について説明を行っていく。
【００６１】
以上説明した内容をまとめると、次のようになる。即ち、図４のデジタルシネマ用プロジェクタ１が、分割駆動していない一般の液晶パネルを搭載している場合に、電気V shift手法を適用するためには、オフセット機能を設ければ足りる。
【００６２】
これに対して、デジタルシネマ用プロジェクタ１が、4Kパネル１１等の上下分割駆動が必要な液晶パネルを搭載している場合に、電気V shift手法を適用するためには、即ち、「Cine-scope」においてきちんとした画像を保ったままV shiftを行うためには、オフセット機能を設けるだけでは足りず、さらに、スイッチ機能を設ける必要がある。
【００６３】
具体的には例えば、デジタルシネマ用プロジェクタ１が、4Kパネル１１等の上下分割駆動が必要な液晶パネルを搭載している場合に、図７の4Kパネル１１に対して電気V shift手法するためには、図８に示されるような制御部６１および切替部６２−Ｌ，６２−Ｒを設けることで、オフセット機能とスイッチ機能とを実現できる。
【００６４】
制御部６１は、オフセット追加部７１と上下切替制御部７２とを有している。
【００６５】
オフセット追加部７１は、例えば「Cine-scope」のコンテンツが投射対象の場合には、フレームメモリ１２−ＬＵ，１２−ＬＤ，１２−ＲＤ，１２−ＲＵのそれぞれの書き込みラインアドレスに対してオフセットを与える。
【００６６】
即ち、オフセット追加部７１は、例えば「Cine-scope」のコンテンツが投射対象の場合には、フレームメモリ１２−ＬＵ，１２−ＬＤ，１２−ＲＤ，１２−ＲＵのそれぞれの書き込みラインアドレスの初期値としてオフセット値を与える。そして、オフセット追加部７１は、書き込みラインアドレスの値として、１つずつインクリメントしていった各値を順次与え、有効ライン最後値までインクリメントすると０に戻して、その０を与え、その後、再度オフセット値となるまで、１つずつインクリメントしていった各値を順次与えていく。
【００６７】
上下切替制御部７２は、フレームメモリ１２−ＬＵ，１２−ＬＤ，１２−ＲＤ，１２−ＲＵのそれぞれの書き込みラインアドレスの値を把握し、書き込みラインアドレスの値が０またはオフセット値となったときに、切替部６２−Ｌ，６２−Ｒのそれぞれの切り替えを制御する。具体的な制御例については、図１６を用いて後述することにして、ここでは説明の簡略上、切替制御信号SCの出力により制御を行うとして説明を続ける。
【００６８】
切替部６２−Ｌは、上下切替制御部７２から切替制御信号SCが提供されたタイミングで、フレームメモリ１２−ＬＵ，１２−ＬＤのそれぞれに対して提供する各信号を、左上象限信号SLUと左下象限信号SLDとのうちの一方から他方に切り替える。同様に、切替部６２−Ｒは、上下切替制御部７２から切替制御信号SCが提供されたタイミングで、フレームメモリ１２−ＲＵ，１２−ＲＤのそれぞれに対して提供する各信号を、右上象限信号SRUと右下象限信号SRDとのうちの一方から他方に切り替える。
【００６９】
以上説明した図８の構成からなる装置５１、即ち、4Kパネル１１、フレームメモリ１２−ＬＵ，１２−ＬＤ，１２−ＲＤ，１２−ＲＵ、制御部６１、および、切替部６２−Ｌ，６２−Ｒからなる装置５１を、以下、4Kパネル装置５１と称する。即ち、図８は、本発明が適用される画像処置装置の一実施の形態としての4Kパネル装置５１の構成例を示している。
【００７０】
以下、かかる構成の4Kパネル装置５１の動作について、図９乃至図１３を参照して説明していく。
【００７１】
ただし、説明の簡略上、4Kパネル１１のうちの左象限の液晶パネル、即ち、左上象限液晶パネル１１−ＬＵと左下象限パネル１１−ＬＤとに対して、フレーム画像のうちの図９の左象限画像８１を表示させる場合の動作について説明する。即ち、右上象限パネル１１−ＲＵと右上象限パネル１１−ＲＤとに対して、フレーム画像のうちの右象限画像（図示せず）を表示させる場合の動作については、左象限画像８１を表示させる場合の後述する動作と基本的に同様であるため、ここではその説明については省略する。
【００７２】
この場合、図９に示されるように、左象限画像８１がさらに上下２分割された左上象限画像８１−ＬＵ，８１−ＬＲのそれぞれに対応するフィールド信号またはフレーム信号、即ち、左上象限信号SLUと左下象限信号SLDとのそれぞれが用いられるとする。即ち、以下、左上象限信号SLUとは、左上象限画像８１−ＬＵに対応する信号であるとする。また、左下象限信号SLDとは、左下象限画像８１−ＬＲに対応する信号であるとする。
【００７３】
そして、以下、左上象限画像８１−ＬＵのうちの、有効ラインの最初の番号をUSと記述し、有効ラインの最後の番号をUEと記述し、また、オフセット追加部７１から提供されるオフセット値に対応する水平ラインの番号をUCと記述する。
【００７４】
同様に、以下、左下象限画像８１−ＬＤのうちの、有効ラインの最初の番号をDSと記述し、有効ラインの最後の番号をDEと記述し、また、オフセット追加部７１から提供されるオフセット値に対応する水平ラインの番号をDCと記述する。
【００７５】
即ち、書き込みラインアドレスの値として見た場合には、UEとDEとは有効ライン最後値を意味する。なお、以下、有効ライン最後値を単にEと記述する。同様に、書き込みラインアドレスの値として見た場合には、USとDSとは０である。ただし、Eの記述にあわせて、書き込みラインアドレスの値が０の場合には、以下、Sと記述する。また、書き込みラインアドレスの値として見た場合には、UCとDCとはオフセット値を意味する。なお、以下、オフセット値を、単に、Cと記述する。
【００７６】
このような前提事項の下では、オフセット追加部７１から提供されるオフセット値が０である場合、即ち、オフセットが与えられない場合の4Kパネル装置５１の動作は、図１０と図１１とに示されるようになる。
【００７７】
なお、オフセットがなされない場合とは、基本的に、「Vista」のコンテンツが投射対象となる場合であるが、後述する図１２や図１３のオフセットがなされる場合の例との比較を容易にするために、図１０と図１１には、左象限画像８１を含む「Cine-scope」のコンテンツが投射対象となる場合の例が示されている。
【００７８】
図１０において、上方のタイミングチャートは、左上象限パネル１１−ＬＵに対する書き込み動作例が示されており、下方のタイミングチャートは、左下象限パネル１１−ＬＤに対する書き込み動作例が示されている。
【００７９】
何れのタイミングチャートにおいても、横軸は時間を示し、縦軸は書き込みラインアドレスの値を示している。また、左上象限信号SLUは縦線の領域で示され、左下象限信号SLDは横線の領域で示されている。即ち、時間軸（横軸）上の所定の時点において、左上象限信号SLUまたは左下象限信号SLDを示す三角形の斜辺が、書き込みラインアドレスの値の時間推移を表している。
【００８０】
また、各タイミングチャートの背景には、左上象限画像８１−ＬＵまたは左下象限画像８１−ＬＲに対応する画像が示されている。これにより、時間軸（横軸）上の所定の時点においては、そのタイミングチャートの背景として示される画像のうちの、左上象限信号SLUまたは左下象限信号SLDを示す三角形の斜辺と交わっている水平ラインが書き込まれていることが容易にわかる。
【００８１】
また、図１１は、図１０の期間AUと期間ADとにおいて、左上象限パネル１１−ＬＵと左下象限パネル１１−ＬＤとに表示される画像の例が示されている。
【００８２】
図１０に示されるように、期間AUにおいては、図８のフレームメモリ１２−ＬＵの書き込みラインアドレスの値はS乃至Eの通常の順番でひとつずつインクリメントされていく。その結果、図１１に示されるように、左上象限信号SLUに対応する左上象限画像８１−ＬＵ（図９）のうちの番号US乃至UEの各水平ラインがその順番で、左上象限パネル１１−ＬＵに順次書き込まれていく。
【００８３】
また、図１０に示されるように、期間AUと同一の期間ADにおいては、図８のフレームメモリ１２−ＬＤの書き込みラインアドレスの値はS乃至Eの通常の順番でひとつずつインクリメントされていく。その結果、図１１に示されるように、左下象限信号SLDに対応する左下象限画像８１−ＬＤ（図９）のうちの番号DS乃至DEの各水平ラインがその順番で、左下象限パネル１１−ＬＤに順次書き込まれていく。
【００８４】
以上の結果、期間AU，ADにおいては、左上象限パネル１１−ＬＵと左下象限パネル１１−ＬＤとには、図１１に示されるような画像、即ち、V shiftがなされていない図９の左象限画像８１そのままが表示される。
【００８５】
これに対して、オフセット追加部７１から提供されるオフセット値がC（ただし、Cは0以外の値）であるときの4Kパネル装置５１の動作（ただし上シフトの動作）は、図１２と図１３とに示されるようになる。
【００８６】
即ち、図１２は、上シフトをすべくオフセットがなされた場合の、左上象限パネル１１−ＬＵと右下象限パネル１１−ＬＤとのそれぞれに対する書き込み動作例を示すタイミングチャートである。図１２についての各種前提事項は、図１０についての各種前提事項と同様である。
【００８７】
また、図１３は、図１２の期間au，buと期間ad，bdとにおいて、左上象限パネル１１−ＬＵと左下象限パネル１１−ＬＤとに表示される画像の例が示されている。即ち、図１３は、オフセットがなされた場合の左上象限パネル１１−ＬＵと左下象限パネル１１−ＬＤとに表示される画像の例である。図１３についての各種前提事項は、図１１についての各種前提事項と同様である。
【００８８】
図１２に示されるように、期間auにおいては、図８のフレームメモリ１２−ＬＵの書き込みラインアドレスの値はC乃至Eの順番でひとつずつインクリメントされていく。この間、切替部６２−Ｌは、左下象限信号SLDをフレームメモリ１２−ＬＵに提供する。その結果、図１３に示されるように、左下象限信号SLDに対応する左下象限画像８１−ＬＤ（図９）のうちの番号DC乃至DEの各水平ラインがその順番で、左上象限パネル１１−ＬＵの対応する各水平ライン（下方領域）に順次書き込まれていく。
【００８９】
そして、書き込みラインアドレスの値がEになると、その値はSに戻る。すると、図１２に示されるように、上下切替制御部７２（図８）から切替制御信号SCが出力されるので、切替部６２−Ｌは、そのタイミングで、左上象限のフレームメモリ１２−ＬＵに対して与える信号を、下象限信号SLDから上象限信号SLUに切り替える。
【００９０】
すると、図１２に示されるように、期間auの次の期間buにおいては、図８のフレームメモリ１２−ＬＵの書き込みラインアドレスの値はS乃至Cの順番でひとつずつインクリメントされていく。この間、切替部６２−Ｌは、左上象限信号SLUをフレームメモリ１２−ＬＵに提供する。その結果、図１３に示されるように、左上象限信号SLUに対応する左上象限画像８１−ＬＵ（図９）のうちの番号US乃至UCの各水平ラインがその順番で、左上象限パネル１１−ＬＵの対応する各水平ライン（上方領域）に順次書き込まれていく。
【００９１】
その後、フレームメモリ１２−ＬＵの書き込みラインアドレスがCになると、図１２に示されるように、上下切替制御部７２（図８）から切替制御信号SCが再度出力されるので、切替部６２−Ｌは、そのタイミングで、左上象限のフレームメモリ１２−ＬＵに対して与える信号を、上象限信号SLUから下象限信号SLDに再度切り替える。すると、上述した一連の処理が繰り返されることになる。
【００９２】
一方、図１２に示されるように、期間auと同一の期間adにおいては、図８のフレームメモリ１２−ＬＤの書き込みラインアドレスの値はC乃至Eの順番でひとつずつインクリメントされていく。この間、切替部６２−Ｌは、左上象限信号SLUをフレームメモリ１２−ＬＤに提供する。その結果、図１３に示されるように、左上象限信号SLUに対応する左上象限画像８１−ＬＵ（図９）のうちの番号UC乃至UEの各水平ラインがその順番で、左下象限パネル１１−ＬＵの対応する各水平ライン（下方領域）に順次書き込まれていく。
【００９３】
そして、フレームメモリ１２−ＬＤの書き込みラインアドレスの値がEになると、その値はSに戻る。すると、図１２に示されるように、上下切替制御部７２（図８）から切替制御信号SCが出力されるので、切替部６２−Ｌは、そのタイミングで、左下象限のフレームメモリ１２−ＬＤに対して与える信号を、左上象限信号SLUから左下象限信号SLDに切り替える。
【００９４】
すると、図１２に示されるように、期間adの次の期間bdにおいては、即ち、期間buと同一の期間bdにおいては、図８のフレームメモリ１２−ＬＤの書き込みラインアドレスの値はS乃至Cの順番でひとつずつインクリメントされていく。この間、切替部６２−Ｌは、左下象限信号SLDをフレームメモリ１２−ＬＤに提供する。その結果、図１３に示されるように、左下象限信号SLDに対応する左下象限画像８１−ＬＤ（図９）のうちの番号DS乃至DCの各水平ラインがその順番で、左下象限パネル１１−ＬＤの対応する各水平ライン（上方領域）に順次書き込まれていく。
【００９５】
その後、フレームメモリ１２−ＬＤの書き込みラインアドレスがCになると、図１２に示されるように、上下切替制御部７２（図８）から切替制御信号SCが再度出力されるので、切替部６２−Ｌは、そのタイミングで、左下象限のフレームメモリ１２−ＬＤに対して与える信号を、下象限信号SLDから上象限信号SLUに再度切り替える。すると、上述した一連の処理が繰り返されることになる。
【００９６】
以上の結果、期間au，buと期間ad，bdとにおいては、左上象限パネル１１−ＬＵと左下象限パネル１１−ＬＤとには、図１３に示されるような画像、即ち、「Offset」と記述されている分だけV shiftがなされた図９の左象限画像８１がきちんと表示されるのである。
【００９７】
上述した一連の処理は、ハードウエアにより実行させることもできるし、ソフトウエアにより実行させることもできる。
【００９８】
上述した一連の処理をソフトウエアにより実行させる場合、本発明が適用される画像処理装置の液晶パネルの駆動を制御する部分、例えば、図８の例では制御部６１等は、図１４に示されるコンピュータとして構成することもできる。
【００９９】
図１４において、CPU（Central Processing Unit）１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１００】
CPU１０１、ROM１０２、およびRAM１０３は、バス１０４を介して相互に接続されている。このバス１０４にはまた、入出力インタフェース１０５も接続されている。
【０１０１】
入出力インタフェース１０５には、キーボード、マウスなどよりなる入力部１０６、ディスプレイなどよりなる出力部１０７、ハードディスクなどより構成される記憶部１０８、および、モデム、ターミナルアダプタなどより構成される通信部１０９が接続されている。通信部１０９は、インターネットを含むネットワークを介して他の装置（図示せず）との間で行う通信を制御する。
【０１０２】
入出力インタフェース１０５にはまた、必要に応じてドライブ１１０が接続され、磁気ディスク、光ディスク、光磁気ディスク、或いは半導体メモリなどよりなるリムーバブル記録媒体１１１が適宜装着され、それらから読み出されたコンピュータプログラムが、必要に応じて記憶部１０８にインストールされる。
【０１０３】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１０４】
このようなプログラムを含む記録媒体は、図１４に示されるように、装置本体とは別に、視聴者にプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）１１１により構成されるだけでなく、装置本体に予め組み込まれた状態で視聴者に提供される、プログラムが記録されているROM１０２や、記憶部１０８に含まれるハードディスクなどで構成される。
【０１０５】
具体的には例えば、図８のオフセット追加部７１は、図１５に示されるようなソフトウエアで構成することもできる。また例えば、図８の上下切替制御部７２は、図１６に示されるようなソフトウエアで構成することもできる。なお、図１５と図１６とにおいて示されている各数値は、各プログラムリストの各行番号を示している。
【０１０６】
図１５の１乃至５行目において、「Offset」は上述したオフセット値を示している。即ち、「Offset」は正負を取り得る。これは、Vshiftが上シフトと下シフトとの両シフトが可能とされているからである。即ち、図１５の例では、「Offset」が正ならば下シフトを示しており、「Offset」が負ならば上シフトを示している。「Offset」が負の場合、即ち、上シフトの場合、「Line address end」と負の「Offset」を足すことで、即ち、有効ライン数から「Offset」の絶対値を引くことで正値としている。
【０１０７】
また、図１５の７乃至１３行目には、書き込みラインアドレスの値（Line addres）として、１乃至５行目で定義された「Line address start」の番号の水平ラインから書き込みを開始させ、即ち、水平ラインの書き込み開始位置をオフセットさせ、その後、１水平ライン毎に書き込みを行わせていき、有効ラインの最後（Line address end）で書き込みラインアドレスの値を０に戻すことが示されている。
【０１０８】
また、図１６の２行目の「Switch = normal」とは、通常の信号経路に切り替えること示している。ここに、通常の信号経路とは、上象限のラインメモリに対して上象限信号を提供し、下象限のラインメモリに対して下象限信号を提供することを意味している。これに対して、図１６の５行目の「Switch = normal」とは、上下逆の信号経路を示している。ここに、上下逆の信号経路とは、上象限のラインメモリに対して下象限信号を提供し、上象限のラインメモリに対して上象限信号を提供することを意味している。即ち、図１６の１乃至６行目には、「V sync」がきたならば、「Offset」が正ならば通常の信号経路に切り替え、「Offset」が負ならば上下逆の信号経路に切り替えることが示されている。なお、図１５で上述したように、「Offset」が正ならば下シフトを示し、負ならば上シフトを示している。
【０１０９】
また、図１６の７乃至９行目には、有効ラインの最後まできたら、スイッチを切り替えて、それ以前が上下逆の経路だったら、通常経路に切り替えることが示されている。
【０１１０】
以上本発明について説明したが、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１１１】
また、本明細書において、システムとは、複数の装置や処理部により構成される装置全体を表すものである。
【０１１２】
さらにまた、本発明が適用される画像処理装置、例えば図８の4Kパネル装置５１の適用先は、図４のデジタルシネマ用のプロジェクタ１に特に限定されず、被画像形成対象に画像を形成させる画像形成装置であれば足りる。換言すると、デジタルシネマ用のプロジェクタ１とは、被画像形成対象としてスクリーン２を採用した場合の画像形成装置の一実施の形態に過ぎない。
【図面の簡単な説明】
【０１１３】
【図１】「Cine-scope」,「Vista」の違いを説明する図である。
【図２】4K信号の「cine-scope」のコンテンツの表示解像度を説明する図である。
【図３】4K信号の「Vista」のコンテンツの表示解像度を説明する図である。
【図４】デジタルシネマ用プロジェクタの設置例と、「Cine-scope」,「Vista」の両コンテンツのスクリーン投影上の問題を説明する図である。
【図５】本発明が適用される電気V shift手法を説明する図である。
【図６】本発明が適用される電気V shift手法を説明する図である。
【図７】上下左右に４分割駆動される液晶パネルの構成例を説明する図である。
【図８】図７の液晶パネルに対して、図５と図６の本発明の電気V shift手法を適用させた場合に構成される画像処理装置、即ち、本発明が適用される画像処理装置の一実施の形態としての4Kパネル装置の構成例を示すブロック図である。
【図９】図８の4Kパネル装置の動作を説明する図であって、左象限の液晶パネルに表示させる画像の一例を示す図である。
【図１０】オフセットがなされない場合における、図８の4Kパネル装置の左象限の液晶パネルに対する書き込み動作例を示すタイミングチャートである。
【図１１】図１０の書き込み動作により、図８の4Kパネル装置の左象限の液晶パネルに表示される画像の例を示す図である。
【図１２】オフセットがなされた場合における、図８の4Kパネル装置の左象限の液晶パネルに対する書き込み動作例を示すタイミングチャートである。
【図１３】図１２の書き込み動作により、図８の4Kパネル装置の左象限の液晶パネルに表示される画像の例を示す図である。
【図１４】本発明が適用される画像処理装置を制御するコンピュータの構成例を示すブロック図である。
【図１５】図８のオフセット追加部をソフトウエアで構成した場合の例を示す図である。
【図１６】図８の上下切替制御部をソフトウエアで構成した場合の例を示す図である。
【符号の説明】
【０１１４】
１  デジタルシネマ用プロジェクタ，  ２  スクリーン，  １１  4K液晶パネル，  １１−ＬＵ  左上象限パネル，  １１−ＬＤ  左下象限パネル，  １１−ＲＵ  右上象限パネル，  １１−ＲＤ  右下象限パネル，  １２−ＬＵ，１２−ＬＤ，１２−ＲＵ，１２−ＲＵ  フレームメモリ，  ５１  4Kパネル装置，  ６１  制御部，  ７１  オフセット追加部，  ７２  上下切替制御部，  １０１  CPU，  １０２  ROM，  １０３  RAM，  １０５  記録部，  １１１  リムーバブルメディア
【図１】
2007304338.tif 000003
【図２】
2007304338.tif 000004
【図３】
2007304338.tif 000005
【図４】
2007304338.tif 000006
【図５】
2007304338.tif 000007
【図６】
2007304338.tif 000008
【図７】
2007304338.tif 000009
【図８】
2007304338.tif 000010
【図９】
2007304338.tif 000011
【図１０】
2007304338.tif 000012
【図１１】
2007304338.tif 000013
【図１２】
2007304338.tif 000014
【図１３】
2007304338.tif 000015
【図１４】
2007304338.tif 000016
【図１５】
2007304338.tif 000017
【図１６】
2007304338.tif 000018